(57)【要約】  基地局１と端末２が通信する通信システムにおいて、基地局１と端末２が適切な送信制御を行なうことができる端末、通信方法および集積回路を提供する。基地局１と通信を行う端末２であって、第１の上りリンク参照信号の設定、第２の上りリンク参照信号の設定、および、第１の設定がセットされる無線リソース制御部２０１１と、前記設定に基づいて、第１の上りリンク参照信号、第２の上りリンク参照信号、上りリンク復調参照信号を生成する上りリンク参照信号生成部２０１３と、前記第１の上りリンク参照信号、前記第２の上りリンク参照信号、前記上りリンク復調参照信号を送信する送信部２０７と、を備える。
2014050584.tif 000002
【特許請求の範囲】
【請求項１】
基地局と通信を行なう端末であって、
第１の上りリンク参照信号の設定、第２の上りリンク参照信号の設定、および、第１の設定がセットされる無線リソース制御部と、
前記設定に基づいて、第１の上りリンク参照信号、第２の上りリンク参照信号、上りリンク復調参照信号を生成する上りリンク参照信号生成部と、
前記第１の上りリンク参照信号、前記第２の上りリンク参照信号、前記上りリンク復調参照信号を送信する送信部と、を備え、
前記送信部は、
前記第１の設定がセットされる場合、前記第１の上りリンク参照信号を、前記第１の上りリンク参照信号の設定に基づいてセットされる送信サブフレームで送信し、
前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信する
ことを特徴とする端末。
【請求項２】
前記送信部は、
前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信する
ことを特徴とする請求項１記載の端末。
【請求項３】
前記上りリンク参照信号生成部は、
前記上りリンク復調参照信号の基準系列および前記第１の上りリンク参照信号の基準系列を第１の方式に基づいて生成し、
前記第２の上りリンク参照信号の基準系列を第２の方式に基づいて生成する
ことを特徴とする請求項１または請求項２に記載の端末。
【請求項４】
前記上りリンク参照信号生成部は、
第１のパラメータから第３のパラメータに対して独立に値が設定される場合には、
前記上りリンク復調参照信号の基準系列を第１のパラメータを用いて初期化し、
前記第１の上りリンク参照信号の基準系列を第２のパラメータを用いて初期化し、
前記第２の上りリンク参照信号の基準系列を第３のパラメータを用いて初期化する
ことを特徴とする請求項１から請求項３の何れかに記載の端末。
【請求項５】
前記上りリンク参照信号生成部は、前記下りリンク制御情報フォーマットに下りリンク信号のスケジューリングに用いられる情報が含まれていれば、前記第２の上りリンク参照信号の基準系列を前記第１の方式に基づいて生成する
ことを特徴とする請求項３または請求項４に記載の端末。
【請求項６】
前記送信部は、前記送信サブフレームが下りリンクサブフレームとして設定されているサブフレームに対して設定される場合、前記送信サブフレームにおいて前記第１の上りリンク参照信号を送信しない
ことを特徴とする請求項１から請求項５の何れかに記載の端末。
【請求項７】
前記送信部は、
前記第１の設定がセットされない場合、
前記第１の上りリンク参照信号に対して設定される送信サブフレームにおいて、前記第１の上りリンク参照信号を送信し、
前記下りリンク制御情報フォーマットを検出したサブフレームから所定のサブフレーム以降の最初の前記第２の上りリンク参照信号に対して設定される送信サブフレームにおいて、前記第２の上りリンク参照信号を送信する
ことを特徴とする請求項１記載の端末。
【請求項８】
基地局と通信を行なう端末の通信方法であって、
第１の上りリンク参照信号の設定、第２の上りリンク参照信号の設定、および、第１の設定がセットされるステップと、
前記設定に基づいて、第１の上りリンク参照信号、第２の上りリンク参照信号、上りリンク復調参照信号を生成するステップと、
前記第１の上りリンク参照信号、前記第２の上りリンク参照信号、前記上りリンク復調参照信号を送信するステップと、
前記第１の設定がセットされる場合、前記第１の上りリンク参照信号を、前記第１の上りリンク参照信号の設定に基づいてセットされる送信サブフレームで送信するステップと、
前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信するステップと、を含む
ことを特徴とする通信方法。
【請求項９】
前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信するステップを含む
ことを特徴とする請求項８記載の通信方法。
【請求項１０】
前記上りリンク復調参照信号の基準系列および前記第１の上りリンク参照信号の基準系列を第１の方式に基づいて生成するステップと、
前記第２の上りリンク参照信号の基準系列を第２の方式に基づいて生成するステップと、を含む
ことを特徴とする請求項８記載の通信方法。
【請求項１１】
第１のパラメータから第３のパラメータに対して独立に値が設定される場合には、前記上りリンク復調参照信号の基準系列を第１のパラメータを用いて初期化し、前記第１の上りリンク参照信号の基準系列を第２のパラメータを用いて初期化し、前記第２の上りリンク参照信号の基準系列を第３のパラメータを用いて初期化するステップを含む
ことを特徴とする請求項８記載の通信方法。
【請求項１２】
前記下りリンク制御情報フォーマットに下りリンク信号のスケジューリングに用いられる情報が含まれていれば、前記第２の上りリンク参照信号の基準系列を前記第１の方式に基づいて生成するステップを含む
ことを特徴とする請求項１０記載の通信方法。
【請求項１３】
基地局と通信を行なう端末に搭載される集積回路であって、
第１の上りリンク参照信号の設定、第２の上りリンク参照信号の設定、および、第１の設定がセットされる機能と、
前記設定に基づいて、第１の上りリンク参照信号、第２の上りリンク参照信号、上りリンク復調参照信号を生成する機能と、
前記第１の上りリンク参照信号、前記第２の上りリンク参照信号、前記上りリンク復調参照信号を送信する機能と、
前記第１の設定がセットされる場合、前記第１の上りリンク参照信号を、前記第１の上りリンク参照信号の設定に基づいてセットされる送信サブフレームで送信する機能と、
前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信する機能と、を前記端末に発揮させる
ことを特徴とする集積回路。
【請求項１４】
前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信する機能を前記端末に発揮させる
ことを特徴とする請求項１３記載の集積回路。
【請求項１５】
前記上りリンク復調参照信号の基準系列および前記第１の上りリンク参照信号の基準系列を第１の方式に基づいて生成する機能と、
前記第２の上りリンク参照信号の基準系列を第２の方式に基づいて生成する機能と、を前記端末に発揮させる
ことを特徴とする請求項１３記載の集積回路。
【請求項１６】
第１のパラメータから第３のパラメータに対して独立に値が設定される場合には、前記上りリンク復調参照信号の基準系列を第１のパラメータを用いて初期化し、前記第１の上りリンク参照信号の基準系列を第２のパラメータを用いて初期化し、前記第２の上りリンク参照信号の基準系列を第３のパラメータを用いて初期化する機能と、を前記端末に発揮させる
ことを特徴とする請求項１３記載の集積回路。
【発明の詳細な説明】
【技術分野】
【０００１】
本発明は、端末、通信方法および集積回路に関する。
【背景技術】
【０００２】
３ＧＰＰ（Third Generation Partnership Project）によるＷＣＤＭＡ（登録商標）（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局（セル、送信局、送信装置、eNodeB）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。【０００３】
その通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行なう。例えば、基地局は、端末に対して、リソースの割り当て情報、データ信号の変調および符号化情報、データ信号の空間多重数情報、送信電力制御情報等を通知することにより、データ通信を実現する。【０００４】
その通信システムは、ＴＤＤ（Time Division Duplex）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信を可能にする技術である。【０００５】
その通信システムにおいて、上りリンクのトラフィックと下りリンクのトラフィック（情報量、データ量、通信量）に応じて、上りリンクリソースと下りリンクリソースの比率を変更するトラフィック適応制御技術をＴＤ−ＬＴＥに適用することが検討されている。その方法として、下りリンクサブフレームおよび上りリンクサブフレームを適応的に切り替えるフレキシブルサブフレーム（flexible subframe）が検討されている（非特許文献１）。基地局は、フレキシブルサブフレームにおいて、上りリンク信号の受信または下りリンク信号の送信を行なうことができる。端末は、基地局によって、フレキシブルサブフレームにおいて上りリンク信号の送信を指示されない限り、該フレキシブルサブフレームを下りリンクサブフレームとみなして受信処理を行なうことができる。また、上りリンクのトラフィックと下りリンクのトラフィックに応じて、上りリンクサブフレームと下りリンクサブフレームの比率をダイナミックに変更することが検討されている。また、無線フレーム単位でＴＤＤ  ＵＬ／ＤＬ設定をダイナミックに再設定することが検討されている。また、予めＴＤＤ  ＵＬ／ＤＬ設定のセット（組み合わせ）をテーブル管理することが検討されている。【０００６】
その通信システムは、基地局がカバーするエリアをセル状に複数配置するセルラー通信システムである。また、単一の基地局は複数のセルを管理してもよい。また、単一の基地局は複数のＲＲＨ（Remote Radio Head）を管理しても良い。また、単一の基地局は複数のローカルエリアを管理してもよい。また、単一の基地局は複数のＨｅｔＮｅｔ（Heterogeneous Network）を管理してもよい。【０００７】
その通信システムにおいて、端末は、セル固有参照信号（CRS: Cell-specific Reference Signal）に基づいて参照信号受信電力（RSRP: Reference Signal Received Power）を測定することができる（非特許文献２）。【０００８】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel）の導入が検討されている（非特許文献３）。なお、ニューキャリアタイプは、追加キャリアタイプ（ACT: Additional Carrier Type）と呼称される場合もある。【０００９】
端末の複数アンテナ送信によってサウンディング参照信号のセル間干渉が生じるため、サウンディング参照信号によるチャネル推定精度の劣化が考えられている。その対策として、ＳＵ−ＭＩＭＯ時に、非プリコーディングのＤＭＲＳ（Non-precoded DMRS）からチャネル推定を行なう方法が検討されている（非特許文献４）。
【先行技術文献】
【非特許文献】
【００１０】
【非特許文献１】"On standardization impact of TDD UL-DL adaptation", R1-122016, 3GPP TSG-RAN WG1 Meeting #69, Prague, Czech Republic, 21st - 25th May 2012.
【非特許文献２】3rd Generation Partnership Project Technical Specification Group Radio Access Network; Evolved Universal Terrestrial Radio Access (E-UTRA); Physical layer; Measurements (Release 10) 30th Mar 2011, TS36.214 v10.1.0 (2011-03).
【非特許文献３】"Issues Regarding Additional Carrier Type in Rel-11 CA", R1-114071, 3GPP TSG-RAN WG1 Meeting #67, San Francisco, USA, 14th - 18th Nov 2011.
【非特許文献４】"Channel sounding enhancements for LTE-Advanced", R1-094653, 3GPP TSG-RAN WG1 Meeting #59, Jeju, Korea, 9th - 13th Nov 2009.
【発明の概要】
【発明が解決しようとする課題】
【００１１】
しかしながら、種々の上りリンク物理チャネルの送信タイミングがそれぞれインプリシット（implicit）またはエクスプリシット（explicit）に設定されるため、ダイナミック時分割複信（DTDD: Dynamic Time Division Duplex）を行なう通信システムにおいて、上りリンクサブフレームと下りリンクサブフレームをダイナミックに切り替える場合、ダイナミックに切り替わった下りリンクサブフレームで上りリンク物理チャネルを送信するため、他の端末へ与える影響が大きくなることがある。【００１２】
本発明は、上記問題を鑑みてなされたものであり、適切な送信制御が可能な端末、通信方法および集積回路を提供することを目的とする。
【課題を解決するための手段】
【００１３】
（１）この発明は上述した課題を解決するためになされたもので、本発明の一態様による端末は、基地局と通信を行なう端末であって、第１の上りリンク参照信号の設定、第２の上りリンク参照信号の設定、および、第１の設定がセットされる無線リソース制御部と、
前記設定に基づいて、第１の上りリンク参照信号、第２の上りリンク参照信号、上りリンク復調参照信号を生成する上りリンク参照信号生成部と、前記第１の上りリンク参照信号、前記第２の上りリンク参照信号、前記上りリンク復調参照信号を送信する送信部と、を備え、前記送信部は、前記第１の設定がセットされる場合、前記第１の上りリンク参照信号を、前記第１の上りリンク参照信号の設定に基づいてセットされる送信サブフレームで送信し、前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信することを特徴とする。【００１４】
（２）また、本発明の一態様による端末は、上記の端末であって、前記送信部は、前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信することを特徴とする。【００１５】
（３）また、本発明の一態様による端末は、上記の端末であって、前記上りリンク参照信号生成部は、前記上りリンク復調参照信号の基準系列および前記第１の上りリンク参照信号の基準系列を第１の方式に基づいて生成し、前記第２の上りリンク参照信号の基準系列を第２の方式に基づいて生成することを特徴とする。【００１６】
（４）また、本発明の一態様による端末は、上記の端末であって、前記上りリンク参照信号生成部は、第１のパラメータから第３のパラメータに対して独立に値が設定される場合には、前記上りリンク復調参照信号の基準系列を第１のパラメータを用いて初期化し、前記第１の上りリンク参照信号の基準系列を第２のパラメータを用いて初期化し、前記第２の上りリンク参照信号の基準系列を第３のパラメータを用いて初期化することを特徴とする。【００１７】
（５）また、本発明の一態様による端末は、上記の端末であって、前記上りリンク参照信号生成部は、前記下りリンク制御情報フォーマットに下りリンク信号のスケジューリングに用いられる情報が含まれていれば、前記第２の上りリンク参照信号の基準系列を前記第１の方式に基づいて生成することを特徴とする。【００１８】
（６）また、本発明の一態様による端末は、上記の端末であって、前記送信部は、前記送信サブフレームが下りリンクサブフレームとして設定されているサブフレームに対して設定される場合、前記送信サブフレームにおいて前記第１の上りリンク参照信号を送信しないことを特徴とする。【００１９】
（７）また、本発明の一態様による端末は、上記の端末であって、前記送信部は、前記第１の設定がセットされない場合、前記第１の上りリンク参照信号に対して設定される送信サブフレームにおいて、前記第１の上りリンク参照信号を送信し、前記下りリンク制御情報フォーマットを検出したサブフレームから所定のサブフレーム以降の最初の前記第２の上りリンク参照信号に対して設定される送信サブフレームにおいて、前記第２の上りリンク参照信号を送信することを特徴とする。【００２０】
（８）また、本発明の一態様による通信方法は、基地局装置と通信を行なう端末の通信方法であって、第１の上りリンク参照信号の設定、第２の上りリンク参照信号の設定、および、第１の設定がセットされるステップと、前記設定に基づいて、第１の上りリンク参照信号、第２の上りリンク参照信号、上りリンク復調参照信号を生成するステップと、前記第１の上りリンク参照信号、前記第２の上りリンク参照信号、前記上りリンク復調参照信号を送信するステップと、前記第１の設定がセットされる場合、前記第１の上りリンク参照信号を、前記第１の上りリンク参照信号の設定に基づいてセットされる送信サブフレームで送信するステップと、前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信するステップと、を含むことを特徴とする。【００２１】
（９）また、本発明の一態様による通信方法は、上記の通信方法であって、前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信するステップを含むことを特徴とする。【００２２】
（１０）また、本発明の一態様による通信方法は、上記の通信方法であって、前記上りリンク復調参照信号の基準系列および前記第１の上りリンク参照信号の基準系列を第１の方式に基づいて生成するステップと、前記第２の上りリンク参照信号の基準系列を第２の方式に基づいて生成するステップと、を含むことを特徴とする。【００２３】
（１１）また、本発明の一態様による通信方法、上記の通信方法であって、第１のパラメータから第３のパラメータに対して独立に値が設定される場合には、前記上りリンク復調参照信号の基準系列を第１のパラメータを用いて初期化し、前記第１の上りリンク参照信号の基準系列を第２のパラメータを用いて初期化し、前記第２の上りリンク参照信号の基準系列を第３のパラメータを用いて初期化するステップを含むことを特徴とする。【００２４】
（１２）また、本発明の一態様による通信方法は、上記の通信方法であって、前記下りリンク制御情報フォーマットに下りリンク信号のスケジューリングに用いられる情報が含まれていれば、前記第２の上りリンク参照信号の基準系列を前記第１の方式に基づいて生成するステップを含むことを特徴とする。【００２５】
（１３）また、本発明の一態様による集積回路は、基地局と通信を行なう端末に搭載される集積回路であって、第１の上りリンク参照信号の設定、第２の上りリンク参照信号の設定、および、第１の設定がセットされる機能と、前記設定に基づいて、第１の上りリンク参照信号、第２の上りリンク参照信号、上りリンク復調参照信号を生成する機能と、前記第１の上りリンク参照信号、前記第２の上りリンク参照信号、前記上りリンク復調参照信号を送信する機能と、前記第１の設定がセットされる場合、前記第１の上りリンク参照信号を、前記第１の上りリンク参照信号の設定に基づいてセットされる送信サブフレームで送信する機能と、前記第１の設定がセットされる場合、前記第２の上りリンク参照信号を、第２の上りリンク参照信号の送信要求に関する情報を含む下りリンク制御情報フォーマットに上りリンク信号のスケジューリングに用いられる情報が含まれていれば、前記下りリンク制御情報フォーマットを検出したサブフレームから所定のサブフレーム以降の最初の上りリンクサブフレームで前記上りリンク復調参照信号と共に送信する機能と、を前記端末に発揮させることを特徴とする。【００２６】
（１４）また、本発明の一態様による集積回路は、上記の集積回路であって、前記下りリンク制御情報フォーマットに下りリンク信号のスケジューリングに用いられる情報が含まれていれば、所定のサブフレーム以降の最初の前記第２の上りリンク参照信号の設定に基づいてセットされる送信サブフレームで送信する機能を前記端末に発揮させることを特徴とする。【００２７】
（１５）また、本発明の一態様による集積回路は、上記の集積回路であって、前記上りリンク復調参照信号の基準系列および前記第１の上りリンク参照信号の基準系列を第１の方式に基づいて生成する機能と、前記第２の上りリンク参照信号の基準系列を第２の方式に基づいて生成する機能と、を前記端末に発揮させることを特徴とする。【００２８】
（１６）また、本発明の一態様による集積回路は、上記の集積回路であって、第１のパラメータから第３のパラメータに対して独立に値が設定される場合には、前記上りリンク復調参照信号の基準系列を第１のパラメータを用いて初期化し、前記第１の上りリンク参照信号の基準系列を第２のパラメータを用いて初期化し、前記第２の上りリンク参照信号の基準系列を第３のパラメータを用いて初期化する機能と、を前記端末に発揮させることを特徴とする。【００２９】
このことにより、基地局は、端末に対して適切な上りリンク参照信号の送信制御を行なうことができる。
【発明の効果】
【００３０】
この発明によれば、基地局と端末が通信する通信システムにおいて、端末は適切な送信制御を行なうことができる。
【図面の簡単な説明】
【００３１】
【図１】本発明の第１の実施形態に係る基地局１の構成を示す概略ブロック図である。
【図２】本発明の第１の実施形態に係る端末２の構成を示す概略ブロック図である。
【図３】本発明の各実施形態に係る端末２の受信電力測定手順を示す概略ブロック図である。
【図４】条件Ａにおける第２の上りリンク参照信号の送信の一例である。
【図５】条件Ｂにおける第２の上りリンク参照信号の送信の一例である。
【図６】条件Ｂにおける第２の上りリンク参照信号の送信の別の一例である。
【発明を実施するための形態】
【００３２】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａにおいて、今後追加、または、その構造やフォーマット形式が変更または追加される可能性があるが、そのような場合でも本発明の各実施形態の説明に影響しない。
【００３３】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば、１２サブキャリア）の集合で構成される一定の周波数領域と、一定の送信時間間隔（例えば、１スロット、７シンボル）で構成される領域で定義される。
【００３４】
同期信号（Synchronization Signal）は、３種類のプライマリー同期信号（PSS: Primary Synchronization Signal）と、周波数領域で互い違いに配置される３１種類の符号から構成されるセカンダリー同期信号（SSS: Secondary Synchronization Signal）とで構成され、プライマリー同期信号とセカンダリー同期信号との組み合わせによって、基地局１を識別する５０４通りのセル識別子（PCI: Physical layer Cell Identity, Physical Cell Identity, Physical Cell Identifier）と無線同期のためのフレームタイミングが示される。端末２は、セルサーチによって受信した同期信号のセル識別子を特定する。
【００３５】
物理報知チャネル（PBCH: Physical Broadcast Channel）は、セル内の端末２で共通に用いられる制御パラメータ（報知情報やシステム情報）を通知する目的で送信される。ＰＢＣＨで通知されない報知情報は、ＰＤＣＣＨで無線リソースが通知され、ＰＤＳＣＨによってレイヤー３メッセージ（システムインフォメーション、ＲＲＣメッセージ）で送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報などが通知される。
【００３６】
下りリンク参照信号は、その用途によって複数のタイプに分類される。例えば、セル固有参照信号（Cell-specific reference signals; CRS）は、セル毎に所定の電力で送信されるパイロット信号であり、所定の規則に基づいて周波数領域および時間領域で周期的に繰り返される下りリンク参照信号である。端末は、セル固有参照信号を受信することでセル毎の受信品質を測定する。また、端末２は、セル固有参照信号と同時に送信される物理下りリンク制御チャネル、または物理下りリンク共用チャネルの復調のための参照信号としても下りリンクセル固有参照信号を使用する。セル固有参照信号に使用される系列は、セル毎に識別可能な系列が用いられる。この系列は、擬似ランダム系列に基づいて生成されてもよい。また、この系列は、Ｚａｄｏｆｆ−Ｃｈｕ系列に基づいて生成されてもよい。
【００３７】
また、下りリンク参照信号は下りリンクの伝搬路変動の推定にも用いられる。伝搬路変動の推定に用いられる下りリンク参照信号のことをチャネル状態情報参照信号（Channel State Information Reference Signals; CSI-RS）あるいはＣＳＩ参照信号と呼称してもよい。また、端末毎に個別に設定される下りリンク参照信号は、ＵＥ  ｓｐｅｃｉｆｉｃ  Ｒｅｆｅｒｅｎｃｅ  Ｓｉｇｎａｌｓ（ＵＥＲＳ）またはＤｅｄｉｃａｔｅｄ  ＲＳ、下りリンク復調参照信号（DL DMRS: Downlink Demodulation Reference Signal）と称され、物理下りリンク制御チャネル、または物理下りリンク共用チャネルの復調に用いられる。
【００３８】
物理下りリンク共用チャネル（Physical Downlink Shared Channel; PDSCH）は、下りリンクデータのほか、ページングや物理報知チャネルで通知されない報知情報（システムインフォメーション）を端末２に通知するためにも使用される。物理下りリンク共用チャネルの無線リソース割り当て情報は、物理下りリンク制御チャネルで示される。
【００３９】
物理下りリンク制御チャネル（Physical Downlink Control Channel; PDCCH）は、各サブフレームの先頭からいくつかのＯＦＤＭシンボルで送信され、端末２に対して基地局１のスケジューリングに従ったリソース割り当て情報や、送信電力の増減の調整量を指示する目的で使用される。端末は、下りリンクデータや下りリンク制御データであるレイヤー３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメントとも呼称される）と呼ばれるリソース割り当て情報を物理下りリンク制御チャネルから取得する必要がある。なお、物理下りリンク制御チャネルは、上述したＯＤＦＭシンボルで送信される以外に、基地局から端末に対して個別（ｄｅｄｉｃａｔｅｄ）に割り当てられるリソースブロックの領域で送信されるように構成することも可能である。この基地局から端末に対して個別（ｄｅｄｉｃａｔｅｄ）に割り当てられるリソースブロックの領域で送信される物理下りリンク制御チャネルをエンハンスト物理下りリンク制御チャネル（EPDCCH: Enhanced PDCCH）と呼称される場合もある。また、上述したＯＦＤＭシンボルで送信されるＰＤＣＣＨを第１の制御チャネルと呼称される場合もある。また、ＥＰＤＣＣＨを第２の制御チャネルと呼称される場合もある。なお、以降に記述するＰＤＣＣＨには基本的にＥＰＤＣＣＨを含んでいる。なお、上りリンクグラントは、上りリンク信号をスケジューリングするために用いられる情報を含んでいる。また、下りリンクグラントは、下りリンク信号をスケジューリングするために用いられる情報を含んでいる。
【００４０】
物理上りリンク共用チャネル（Physical Uplink Shared Channel; PUSCH）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報を基地局１に通知するためにも使用される。また、下りリンクの場合と同様に物理上りリンク共用チャネルのリソース割り当て情報は、物理下りリンク制御チャネルで示される。
【００４１】
物理上りリンク制御チャネル（Physical Uplink Control Channel; PUCCH）は、物理下りリンク共用チャネルで送信されたデータの受信確認応答（Acknowledgement/Negative Acknowledgement; ACK/NACK）や下りリンクの伝搬路情報（チャネル状態情報）の通知、上りリンクのリソース割り当て要求（無線リソース要求）であるスケジューリングリクエスト（Scheduling Request; SR）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各Ｉｎｄｉｃａｔｏｒは、Ｉｎｄｉｃａｔｉｏｎと表記される場合もあるが、その用途と意味は同じである。
【００４２】
上りリンク参照信号（Uplink Reference Signal）は、基地局１が、物理上りリンク制御チャネルＰＵＣＣＨおよび／または物理上りリンク共用チャネルＰＵＳＣＨを復調するために使用する復調参照信号（Demodulation Reference Signal; DMRS）と、基地局１が、主に、上りリンクのチャネル状態を推定（測定）するために使用するサウンディング参照信号（Sounding Reference Signal; SRS）が含まれる。また、サウンディング参照信号には、周期的サウンディング参照信号（P-SRS: Periodic SRS）と非周期的サウンディング参照信号（A-SRS: Aperiodic SRS）とがある。上りリンク参照信号は、上りリンクパイロット信号、上りリンクパイロットチャネルと呼称する場合もある。また、周期的サウンディング参照信号をピリオディックサウンディング参照信号、トリガータイプ０サウンディング参照信号（Trigger Type 0 SRS）と呼称される場合もある。また、非周期的サウンディング参照信号をアピリオディックサウンディング参照信号、トリガータイプ１サウンディング参照信号（Trigger Type 1 SRS）と呼称される場合もある。さらに、非周期的サウンディング参照信号は、協調通信において、上りリンクのチャネル推定用に特化した信号（例えば、トリガータイプ１ａＳＲＳと呼称される場合もある）と、チャネル相反性を利用して同じ周波数のチャネル状態を基地局１に測定させるために使用される信号（例えば、トリガータイプ１ｂＳＲＳと呼称される場合もある）とに分けることができる。
【００４３】
また、サウンディング参照信号は、上位層シグナリングによって通知されるサウンディング参照信号の設定に含まれる送信サブフレームに関する情報に従って、サウンディング参照信号を送信するサブフレームを決定する。送信サブフレームに関する情報には、セル固有に設定される情報と端末固有に設定される情報とがある。セル固有に設定される情報には、セル内のすべての端末２が共有するサウンディング参照信号が送信されるサブフレームが設定されている。また、端末固有に設定される情報には、セル固有に設定されるサブフレームのサブセットとなるサブフレームオフセットと送信周期が含まれる。これらの情報によって、端末２は、サウンディング参照信号を送信することができるサブフレーム（ＳＲＳサブフレーム、ＳＲＳ送信サブフレームと呼称する場合もある）を決定することができる。また、端末は、セル固有に設定されたサウンディング参照信号が送信されるサブフレームにおいて、物理上りリンク共用チャネルを送信する場合、サウンディング参照信号が送信されるシンボル分だけ物理上りリンク共用チャネルの時間リソースをパンクチャし、送信することができる。このことにより、端末２間の物理上りリンク共用チャネルの送信とサウンディング参照信号の送信の衝突を回避することができる。物理上りリンク共用チャネルを送信する端末２にとっては、特性劣化を防ぐことができる。また、サウンディング参照信号を送信する端末２にとっては、チャネル推定精度を確保することができる。ここで、端末固有に設定される情報は、周期的サウンディング参照信号と非周期的サウンディング参照信号とで独立に設定することができる。なお、第１の上りリンク参照信号をピリオディックＳＲＳ（P-SRS: Periodic Sounding Reference Signal）、トリガータイプ０ＳＲＳ（Trigger Type 0 Sounding Reference Signal）と呼称する場合もある。第２の上りリンク参照信号をアピリオディックＳＲＳ（A-SRS: Aperiodic Sounding Reference Signal）、トリガータイプ１ＳＲＳ（Trigger Type 1 Sounding Reference Signal）と呼称する場合もある。第１の上りリンク参照信号は、上位層シグナリングによって種々のパラメータが設定された場合に、設定された送信サブフレームに従って周期的に送信される。また、第２の上りリンク参照信号は、下りリンク制御情報フォーマットに含まれる第２の上りリンク参照信号の送信要求に関する情報（ＳＲＳリクエスト）に基づいて、第２の上りリンク参照信号の送信が要求される場合に、非周期的に送信される。端末２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末２は、検出したＳＲＳリクエストがネガティブまたはネガティブに相当するインデックス（値）を示す場合、所定のサブフレームでＡ−ＳＲＳを送信しない。なお、あるフィールドを伴うＤＣＩフォーマットは、ある情報（ある制御情報）を送信するために用いられるＤＣＩフォーマットと言い換えることができる。あるＤＣＩフォーマットは、あるフィールドを伴うこともできる。
【００４４】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末２の基地局１へのアクセス手段として用いられる。端末２は、物理上りリンク制御チャネル未設定時の無線リソース要求や、上りリンク送信タイミングを基地局１の受信タイミングウィンドウに合わせるために必要な送信タイミング調整情報（タイミングアドバンス（Timing Advance; TA）とも呼ばれる）を基地局１に要求するために物理ランダムアクセスチャネルを用いる。
【００４５】
具体的には、端末２は、基地局１より通知された物理ランダムアクセスチャネル用の無線リソースに関する情報を用いてプリアンブル系列を送信する。送信タイミング調整情報を受信した端末２は、報知情報に基づいて共通的に設定される（またはレイヤー３メッセージ（上位層シグナリングによって通知されるメッセージ）で個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末２と基地局１のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。また、ＲＲＣシグナリングは、上位層シグナリングや専用シグナリング（Dedicated signaling）と呼称される場合もある。なお、これらの情報は、システムインフォメーションで通知されてもよい。
【００４６】
（第１の実施形態）
以下、本発明の第１の実施形態について説明する。第１の実施形態における通信システムは、基地局１（以下、基地局装置、アクセスポイント、ポイント、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、第１のアクセスポイント、第１のポイント、マクロセル、第１のセル、プライマリーセルとも呼称される）を備える。さらに、第１の実施形態における通信システムは、セカンダリー基地局（ＲＲＨ（Remote Radio Head）、リモートアンテナ、張り出しアンテナ、分散アンテナ、第２のアクセスポイント、第２のポイント、参照点、低電力ノード（LPN: Low Power Node）、マイクロ基地局、ピコ基地局、フェムト基地局、スモール基地局、ローカルエリア基地局、ファントム基地局、Ｈｏｍｅ  ｅＮｏｄｅＢ、第２の基地局装置、第２の通信装置、協調基地局群、協調基地局セット、協調基地局、マイクロセル、ピコセル、フェムトセル、スモールセル、ファントムセル、ローカルエリア、第２のセル、セカンダリーセルとも呼称される）を備えてもよい。また、第１の実施形態における通信システムは、端末２（以下、移動局、移動局装置、端末装置、移動端末、受信装置、受信点、受信端末、第３の通信装置、受信アンテナ群、受信アンテナポート群、ユーザ装置（UE: User Equipment）とも呼称される）を備える。ここで、セカンダリー基地局は、複数のセカンダリー基地局として示されてもよい。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信が行なわれる。
【００４７】
下りリンク送信においては、基地局１は、送信点（TP: Transmission Point）と呼称される場合もある。また、上りリンク送信においては、基地局１は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【００４８】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。
【００４９】
また、スモールセルまたはスモールセルとして設定されたサービングセルまたはスモールセルに対応するコンポーネントキャリアでは、一部の物理チャネル／物理信号が送信されなくてもよい。例えば、セル固有参照信号（CRS: Cell specific Reference Signal）や物理下りリンク制御チャネル（PDCCH: Physical Downlink Control Channel）が送信されなくてもよい。また、スモールセルまたはスモールセルとして設定されたサービングセルまたはスモールセルに対応するコンポーネントキャリアでは、新しい物理チャネル／物理信号が送信されてもよい。
【００５０】
図１は、本発明の基地局１の構成を示す概略ブロック図である。図示するように、基地局１は、上位層処理部１０１、制御部１０３、受信部１０５、送信部１０７、チャネル測定部１０９、および、送受信アンテナ１１１、を含んで構成される。また、上位層処理部１０１は、無線リソース制御部１０１１、参照信号設定部１０１３と送信電力設定部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部１０７９を含んで構成される。
【００５１】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【００５２】
上位層処理部１０１が備える無線リソース制御部１０１１は、下りリンクの各チャネルに配置する情報を生成、又は上位ノードから取得し、送信部１０７に出力する。また、無線リソース制御部１０１１は、上りリンクの無線リソースの中から、端末２が上りリンクのデータ情報である物理上りリンク共用チャネル（PUSCH: Physical Uplink Shared Channel）を配置する無線リソースを割り当てる。また、無線リソース制御部１０１１は、下りリンクの無線リソースの中から、下りリンクのデータ情報である物理下りリンク共用チャネル（PDSCH: Physical Downlink Shared Channel）を配置する無線リソースを決定する。無線リソース制御部１０１１は、当該無線リソースの割り当てを示す下りリンク制御情報を生成し、送信部１０７を介して端末２に送信する。無線リソース制御部１０１１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、無線リソース制御部１０１１は、ある端末２またはあるセルｃに対して各種下りリンク信号の設定および各種上りリンク信号の設定をセットする。また、無線リソース制御部１０１１は、ある端末２またはあるセルｃに対して、第１の上りリンク参照信号の設定、第２の上りリンク参照信号の設定、第１の設定をセットする。それらの設定に関する情報を生成し、送信部１０７へ出力する。また、無線リソース制御部１０１１は、第ｎの信号の設定（ｎは自然数）をセットしてもよい。つまり、無線リソース制御部１０１１は、第１の信号の設定から第ｎの信号の設定をセットしてもよい。
【００５３】
上位層処理部１０１が備える参照信号設定部１０１３は、上りリンク参照信号の設定に関する情報を生成し、送信部１０７へ出力する。例えば、参照信号設定部１０１３は、上りリンク参照信号の設定に関する情報を生成する。上りリンク参照信号の設定に関する情報には、第１の上りリンク参照信号の設定に関する情報および第２の上りリンク参照信号の設定に関する情報が含まれてもよい。上りリンク参照信号の設定に関する情報には、セル固有の帯域幅の設定に関するパラメータが含まれてもよい。また、上りリンク参照信号の設定に関する情報には、端末固有の送信帯域幅に関するパラメータが含まれてもよい。また、上りリンク参照信号の設定に関する情報には、セル固有のサブフレームの設定に関するパラメータが含まれてもよい。また、上りリンク参照信号の設定に関する情報には、送信期間に関するパラメータが含まれてもよい。また、上りリンク参照信号の設定に関する情報には、端末固有の送信サブフレームの設定に関するパラメータが含まれてもよい。また、上りリンク参照信号の設定に関する情報には、サイクリックシフトに関するパラメータが含まれてもよい。また、上りリンク参照信号の設定に関する情報には、送信コームに関するパラメータが含まれてもよい。また、上りリンク参照信号の設定に関する情報には、周波数領域ポジションに関するパラメータが含まれてもよい。また、上りリンク参照信号の設定に関する情報には、アンテナポート数に関するパラメータが含まれてもよい。また、上りリンク参照信号の設定に関する情報には、参照信号の継続期間を指示するパラメータが含まれてもよい。また、上りリンク参照信号の設定に関する情報には、Ａｃｋ／Ｎａｃｋと参照信号の同時送信を行なうか否かを指示するパラメータが含まれてもよい。また、上りリンク参照信号の設定に関する情報には、スペシャルサブフレームに配置されるＵｐＰＴＳの最大帯域幅の切り替えを指示するパラメータが含まれてもよい。また、上りリンク参照信号の設定に関する情報には、仮想セルＩＤの設定に関するパラメータが含まれてもよい。また、上りリンク参照信号の設定に関する情報には、ホッピング帯域幅に関するパラメータが含まれてもよい。また、上りリンク参照信号の設定に関する情報には、周波数ホッピングを停止するためのパラメータが含まれてもよい。なお、これらのパラメータは、第１の上りリンク参照信号の設定に関する情報および第２の上りリンク参照信号の設定に関する情報にそれぞれ含まれてもよい。
【００５４】
上位層処理部１０１は、端末２から物理上りリンク制御チャネル（PUCCH: Physical Uplink Control Channel）で通知された上りリンク制御情報（UCI: Uplink Control Information）、および端末２から通知されたバッファの状況や無線リソース制御部１０１１が設定した端末２各々の各種設定情報に基づき、受信部１０５および送信部１０７の制御を行うために制御情報を生成し、制御部１０３に出力する。なお、ＵＣＩには、Ａｃｋ／Ｎａｃｋ、チャネル品質情報（CQI: Channel Quality Indicator）、スケジューリング要求（SR: Scheduling Request）のうち少なくとも一つが含まれる。
【００５５】
送信電力設定部１０１５は、ＰＲＡＣＨ、ＰＵＣＣＨ、ＰＵＳＣＨ、ＵＬ  ＤＭＲＳ、Ｐ−ＳＲＳ、およびＡ−ＳＲＳの送信電力および送信電力に関するパラメータを設定する。また、送信電力設定部１０１５は、ＣＲＳ、ＤＬ  ＤＭＲＳ、ＣＳＩ−ＲＳ、ＰＤＳＣＨ、ＰＤＣＣＨなどの送信電力および送信電力に関するパラメータを設定する。つまり、送信電力設定部１０１５は、上りリンクおよび下りリンクの電力制御に関する情報を設定する。言い換えると、送信電力設定部１０１５は、基地局１および端末２の送信電力制御に関する情報を設定する。例えば、送信電力設定部１０１５は、基地局１の送信電力に関するパラメータを設定する。また、送信電力設定部１０１５は、端末２の最大送信電力に関するパラメータを設定する。また、送信電力設定部１０１５は、種々の物理チャネルの送信電力制御に関する情報を設定する。また、送信電力設定部１０１５は、隣接する基地局からの干渉量を示す情報、隣接する基地局から通知された隣接する基地局１に与えている干渉量を示す情報、またチャネル測定部１０９から入力されたチャネルの品質などに応じて、ＰＵＳＣＨなどが所定のチャネル品質を満たすよう、また隣接する基地局１への干渉を考慮し、端末２の送信電力を設定し、送信電力の設定を示す情報を、送信部１０７を介して、端末２に送信する。
【００５６】
具体的には、送信電力設定部１０１５は、Ｐ０＿ＰＵＳＣＨ、α、Ｐ−ＳＲＳ用の電力オフセットＰＳＲＳ＿ＯＦＦＳＥＴ（０）（第１の電力オフセットパラメータ（pSRS-Offset））、Ａ−ＳＲＳ用の電力オフセットＰＳＲＳ＿ＯＦＦＳＥＴ（１）（第２の電力オフセットパラメータ（pSRS-OffsetAp））を設定し、前記設定を示す情報を含む信号を無線リソース制御信号（上位層シグナリング、上位層の信号）として生成し、送信部１０７を介して、端末２各々にＰＤＳＣＨで通知する。また、送信電力設定部１０１５は、ＴＰＣコマンドを設定し、ＴＰＣコマンドを指示する情報を生成し、送信部１０７を介して、端末２各々にＰＤＣＣＨで通知する。なお、ここで述べるαとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝送路損失補償係数）である。αは通常０から１の値をとり、０であればパスロスに応じた電力の補償は行わず、１であればパスロスの影響が基地局１において生じないよう端末２の送信電力を増減させることとなる。また、端末２の状態を考慮して、ＳＲＳのＴＰＣコマンドを設定し、そのＴＰＣコマンドを示す情報を生成し、送信部１０７を介して、端末２各々にＰＤＣＣＨで通知する。また、そのＴＰＣコマンドを含むＤＣＩフォーマットを生成し、送信部１０７を介して、端末２各々にＰＤＣＣＨで通知する。また、第３の電力オフセットが追加されてもよい。第３の電力オフセットは第１の電力オフセットや第２の電力オフセットよりも広い範囲を選択できるようにしてもよい。なお、ＴＰＣコマンドを示す情報とは、ＴＰＣコマンドによって示される補正値または絶対値に対応付けられた値を示す情報であってもよい。
【００５７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行う。
【００５８】
受信部１０５は、制御部１０３から入力された制御信号に従って、送受信アンテナ１１１を介して端末２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行ない、周波数領域の信号を抽出し多重分離部１０５５に出力する。
【００５９】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局１が決定して各端末２に通知した無線リソースの割り当て情報に基づいて行われる。また、多重分離部１０５５は、チャネル測定部１０９から入力された伝送路の推定値から、ＰＵＣＣＨとＰＵＳＣＨの伝送路の補償を行なう。また、多重分離部１０５５は、分離したＵＬ  ＤＭＲＳおよびＳＲＳをチャネル測定部１０９に出力する。
【００６０】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局１が端末２各々に下りリンク制御情報で予め通知した変調方式を用いて受信信号の復調を行なう。
【００６１】
復号化部１０５１は、復調したＰＵＣＣＨとＰＵＳＣＨの符号化ビットを、予め定められた符号化方式の、予め定められた、又は基地局１が端末２に上りリンクグラント（UL grant）で予め通知した符号化率で復号を行ない、復号したデータ情報と、上りリンク制御情報を上位層処理部１０１へ出力する。
【００６２】
チャネル測定部１０９は、多重分離部１０５５から入力された上りリンク復調参照信号ＵＬ  ＤＭＲＳとＳＲＳから伝送路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【００６３】
送信部１０７は、制御部１０３から入力された制御信号に従って、下りリンクの参照信号（下りリンク参照信号）を生成し、上位層処理部１０１から入力されたデータ情報、下りリンク制御情報を符号化、および変調し、ＰＤＣＣＨ、ＰＤＳＣＨ、および下りリンク参照信号を多重して、送受信アンテナ１１１を介して端末２に信号を送信する。
【００６４】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局１を識別するためのセル識別子（Ｃｅｌｌ  ＩＤ）などを基に予め定められた規則で求まる、端末２が既知の系列で下りリンク参照信号として生成する。多重部１０７５は、変調した各チャネルと生成した下りリンク参照信号を多重する。
【００６５】
無線送信部１０７７は、多重した変調シンボルを逆高速フーリエ変換（IFFT: Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【００６６】
図２は、本実施形態に係る端末２の構成を示す概略ブロック図である。図示するように、端末２は、上位層処理部２０１、制御部２０３、受信部２０５、送信部２０７、チャネル測定部２０９、および、送受信アンテナ２１１、を含んで構成される。また、上位層処理部２０１は、無線リソース制御部２０１１、参照信号制御部２０１３と送信電力制御部２０１５を含んで構成される。また、受信部２０５は、復号化部２０５１、復調部２０５３、多重分離部２０５５と無線受信部２０５７を含んで構成される。また、送信部２０７は、符号化部２０７１、変調部２０７３、多重部２０７５と無線送信部２０７７を含んで構成される。
【００６７】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行なう。
【００６８】
上位層処理部２０１が備える無線リソース制御部２０１１は、自装置の各種設定情報の管理を行なう。また、無線リソース制御部２０１１は、上りリンクの各チャネルに配置する情報を生成し、送信部２０７に出力する。無線リソース制御部２０１１は、基地局１からＰＤＣＣＨで通知された下りリンク制御情報、およびＰＤＳＣＨで通知された無線リソース制御情報で設定された無線リソース制御部２０１１が管理する自装置の各種設定情報に基づき、受信部２０５、および送信部２０７の制御を行うために制御情報を生成し、制御部２０３に出力する。また、無線リソース制御部２０１１は、基地局１から通知された第１の信号の設定に関する情報から第ｎの信号の設定に関する情報に基づいて、各信号の種々のパラメータをセットする。また、それらのセットした情報を生成し、制御部２０３を介して、送信部２０７に出力する。
【００６９】
上位層処理部２０１が備える無線リソース制御部２０１１は、基地局１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局１が自装置に通知したピリオディックＳＲＳを送信するサブフレームと、周波数帯域と、ピリオディックＳＲＳのＣＡＺＡＣ系列に用いるサイクリックシフトの量とを示す情報、および、基地局１が自装置に通知したアピリオディックＳＲＳを送信する周波数帯域と、アピリオディックＳＲＳのＣＡＺＡＣ系列に用いるサイクリックシフトの量とを示す情報を受信部２０５から取得する。
【００７０】
無線リソース制御部２０１１は、前記情報に基づいてＳＲＳ送信の制御を行なう。具体的には、無線リソース制御部２０１１は、前記ピリオディックＳＲＳに関する情報に従ってピリオディックＳＲＳを１回または周期的に送信するよう送信部２０７を制御する。また、無線リソース制御部２０１１は、受信部２０５から入力されたＳＲＳリクエスト（ＳＲＳインディケータ）においてアピリオディックＳＲＳの送信を要求された場合、アピリオディックＳＲＳに関する情報に基づいてアピリオディックＳＲＳを予め定められた回数（例えば、１回）だけ送信する。
【００７１】
上位層処理部２０１が備える送信電力制御部２０１５は、ＰＵＣＣＨ、ＰＵＳＣＨ、ピリオディックＳＲＳ、およびアピリオディックＳＲＳの送信電力の設定を示す情報を基に、送信電力の制御を行うよう、制御部２０３に制御情報を出力する。具体的には、送信電力制御部２０１５は、受信部２０５から取得したＰ０＿ＰＵＳＣＨ、α、ピリオディックＳＲＳ用の電力オフセットＰＳＲＳ＿ＯＦＦＳＥＴ（０）（第１の電力オフセット（pSRS-Offset））、アピリオディックＳＲＳ用の電力オフセットＰＳＲＳ＿ＯＦＦＳＥＴ（１）（第２の電力オフセット（pSRS-OffsetAp））、およびＴＰＣコマンドを基に、ピリオディックＳＲＳの送信電力とアピリオディックＳＲＳの送信電力各々を制御する。尚、送信電力制御部２０１５は、ＰＳＲＳ＿ＯＦＦＳＥＴに対してピリオディックＳＲＳかアピリオディックＳＲＳかに応じて第１の電力オフセットか第２の電力オフセットかを切り替える。また、送信電力制御部２０１５は、ピリオディックＳＲＳおよび／またはアピリオディックＳＲＳに対して第３の電力オフセットが設定されている場合、第３の電力オフセットに基づいて送信電力をセットする。なお、第３の電力オフセットは、第１の電力オフセットや第２の電力オフセットよりも広い範囲で値が設定されてもよい。第３の電力オフセットは、ピリオディックＳＲＳおよびアピリオディックＳＲＳそれぞれに対して設定されてもよい。
【００７２】
また、送信電力制御部２０１５は、あるサービングセルおよびあるサブフレームにおいて、第１の上りリンク参照信号の送信電力と物理上りリンク共用チャネルの送信電力の合計が端末２に設定される最大送信電力（例えば、ＰＣＭＡＸ）を超える場合、物理上りリンク共用チャネルを送信するように、制御部２０３を介して送信部２０７に指示情報を出力する。また、送信電力制御部２０１５は、あるサービングセルおよびあるサブフレームにおいて、第１の上りリンク参照信号の送信電力と物理上りリンク制御チャネルの送信電力の合計が端末２に設定される最大送信電力を超える場合、物理上りリンク制御チャネルを送信するように、制御部２０３を介して送信部２０７に指示情報を出力する。
【００７３】
また、送信電力制御部２０１５は、第１の設定に関する情報が通知されると、あるサービングセルおよびあるサブフレームにおいて、第２の上りリンク参照信号の送信電力と上りリンク復調参照信号の送信電力の合計が端末２に設定される最大送信電力（例えば、ＰＣＭＡＸ）を超える場合、上りリンク復調参照信号を送信するように、制御部２０３を介して送信部２０７に指示情報を出力する。また、送信電力制御部２０１５は、あるサービングセルおよびあるサブフレームにおいて、第２の上りリンク参照信号の送信電力と物理上りリンク共用チャネルの送信電力の合計が端末２に設定される最大送信電力を超える場合、物理上りリンク共用チャネルを送信するように、制御部２０３を介して送信部２０７に指示情報を出力する。また、送信電力制御部２０１５は、あるサービングセルおよびあるサブフレームにおいて、第２の上りリンク参照信号の送信電力と物理上りリンク制御チャネルの送信電力の合計が端末２に設定される最大送信電力を超える場合、物理上りリンク制御チャネルを送信するように、制御部２０３を介して送信部２０７に指示情報を出力する。
【００７４】
また、送信電力制御部２０１５は、同じタイミング（例えば、サブフレーム）で複数の物理チャネルの送信が生じる場合、種々の物理チャネルの優先度に応じて、種々の物理チャネルの送信電力を制御したり、種々の物理チャネルの送信を制御したりすることもできる。送信電力制御部２０１５は、制御部２０３を介してその制御情報を送信部２０７に出力する。
【００７５】
また、送信電力制御部２０１５は、複数のサービングセルまたは複数のサービングセルそれぞれに対応する複数のコンポーネントキャリアを用いるキャリアアグリゲーションを行なう場合、物理チャネルの優先度に応じて、種々の物理チャネルの送信電力を制御したり、種々の物理チャネルの送信を制御したりすることもできる。また、送信電力制御部２０１５は、セルの優先度に応じて、該セルから送信される種々の物理チャネルの送信制御を行なってもよい。送信電力制御部２０１５は、制御部２０３を介してその制御情報を送信部２０７に出力する。
【００７６】
上位層処理部２０１が備える参照信号制御部２０１３は、基地局１から通知された上りリンク参照信号の設定に関する情報に基づいて上りリンク参照信号の生成等を行なうように制御部２０３を介して送信部２０７に指示情報を出力する。つまり、参照信号制御部２０１３は、制御部２０３を介して、上りリンク参照信号の設定に関する情報を上りリンク参照信号生成部２０７９へ出力する。
【００７７】
制御部２０３は、上位層処理部２０１からの制御情報に基づいて、受信部２０５、および送信部２０７の制御を行う制御信号を生成する。制御部２０３は、生成した制御信号を受信部２０５、および送信部２０７に出力して受信部２０５、および送信部２０７の制御を行う。
【００７８】
受信部２０５は、制御部２０３から入力された制御信号に従って、送受信アンテナ２１１を介して基地局１から受信した受信信号を、分離、復調、復号し、復号した情報を上位層処理部２０１に出力する。
【００７９】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【００８０】
多重分離部２０５５は、抽出した信号を物理下りリンク制御チャネル（PDCCH: Physical Downlink Control Channel）、ＰＤＳＣＨ、および下りリンク参照信号（DRS: Downlink Reference Signal）に、それぞれ分離する。尚、この分離は、下りリンク制御情報で通知された無線リソースの割り当て情報などに基づいて行われる。また、多重分離部２０５５は、チャネル測定部２０９から入力された伝送路の推定値から、ＰＤＣＣＨとＰＤＳＣＨの伝送路の補償を行なう。また、多重分離部２０５５は、分離した下りリンク参照信号をチャネル測定部２０９に出力する。
【００８１】
復調部２０５３は、ＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【００８２】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝送路の推定値を算出し、多重分離部２０５５へ出力する。また、チャネル測定部２０９は、参照信号制御部２０１３から制御部２０３を介して通知された測定に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。
【００８３】
送信部２０７は、制御部２０３から入力された制御信号に従って、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局１に送信する。また、送信部２０７は、上位層処理部２０１から測定結果に関する情報が出力された場合、送受信アンテナ２１１を介して基地局１に送信する。また、送信部２０７は、上位層処理部２０１からチャネル評価に関する結果であるチャネル状態情報が出力された場合、そのチャネル状態情報を基地局１へフィードバックする。つまり、上位層処理部２０１は、チャネル測定部から通知された測定結果に基づいてチャネル状態情報（ＣＳＩ）を生成し、制御部２０３を介して基地局１へフィードバックする。
【００８４】
符号化部２０７１は、上位層処理部２０１から入力された上りリンク制御情報、およびデータ情報を、ターボ符号化、畳み込み符号化、ブロック符号化等の符号化を行う。変調部２０７３は、符号化部２０７１から入力された符号化ビットをＢＰＳＫ、ＱＰＳＫ、１６ＱＡＭ、６４ＱＡＭ等の変調方式で変調する。
【００８５】
上りリンク参照信号生成部２０７９は、上りリンク参照信号の設定に関する情報に基づいて上りリンク参照信号を生成する。つまり、上りリンク参照信号生成部２０７９は、基地局１を識別するためのセル識別子、上りリンク復調参照信号、第１の上りリンク参照信号、第２の上りリンク参照信号を配置する帯域幅などを基に予め定められた規則で求まる、基地局１が既知のＣＡＺＡＣ系列を生成する。また、上りリンク参照信号生成部２０７９は、制御部２０３から入力された制御信号に従って、生成した上りリンク復調参照信号、第１の上りリンク参照信号、第２の上りリンク参照信号のＣＡＺＡＣ系列にサイクリックシフトを与える。
【００８６】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータで各参照信号の基準系列を初期化することができる。ここで、基準系列を初期化するとは、基準系列を生成するために使用する生成器を特定の処理に基づいて初期化することを含む。
【００８７】
多重部２０７５は、制御部２０３から入力された制御信号に従って、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。また、多重部２０７５は、第１の設定がセットされた場合、上りリンク復調参照信号と第２の上りリンク参照信号を同じシンボル（ＳＣ−ＦＤＭＡシンボル、ＯＦＤＭシンボル）で多重してもよい。この際、上りリンク復調参照信号と第２の上りリンク参照信号は、異なるアンテナポートから送信されてもよい。
【００８８】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【００８９】
第１の実施形態では、基地局１は、第１の上りリンク参照信号の設定に関する情報と、第２の上りリンク参照信号の設定に関する情報と、を端末２へ送信する。また、基地局１は、第１の設定に関する情報を端末２へ送信する。端末２は、上位層によって第１の上りリンク参照信号の設定と、第２の上りリンク参照信号の設定と、がセットされる。さらに、端末２は、上位層によって第１の設定がセットされると、第１の上りリンク参照信号（例えば、Ｐ−ＳＲＳ）に対しては、第１の上りリンク参照信号の設定に含まれる送信サブフレームに関するパラメータに基づいてセットされる第１の上りリンク参照信号サブフレームで第１の上りリンク参照信号を送信し、第２の上りリンク参照信号（例えば、Ａ−ＳＲＳ）に対しては、第２の上りリンク参照信号の送信要求に関する情報を含む下りリンク制御情報フォーマットを検出したサブフレームから所定のサブフレーム（例えば、４サブフレーム）後の最初の上りリンクサブフレームにおいて、上りリンク復調参照信号とともに送信する。なお、所定のサブフレーム後の最初の上りリンクサブフレームはフレキシブルサブフレームであってもよい。また、端末２は、上位層によって第１の設定がセットされない場合、第２の上りリンク参照信号に対しては、第２の上りリンク参照信号の設定に含まれる送信サブフレームに関するパラメータに基づいてセットされる第２の上りリンク参照信号サブフレームで、第２の上りリンク参照信号を送信してもよい。つまり、端末２は、上位層によって第１の設定がセットされるか否かで、第２の上りリンク参照信号の送信タイミングを切り替えることができる。つまり、端末２は、第１の設定がセットされると、第２の上りリンク参照信号の設定に含まれる送信サブフレームに関するパラメータに因らず、第２の上りリンク参照信号をフレキシブルに送信することができる。
【００９０】
なお、端末２に対して第１の設定がセットされる場合、端末２は、第１の上りリンク参照信号の基準系列を第１の方式に基づいて生成し、第２の上りリンク参照信号の基準系列を第２の方式に基づいて生成してもよい。また、第１の上りリンク参照信号の設定に関する情報および／または第２の上りリンク参照信号の設定に関する情報に仮想セルＩＤ（VCID: Virtual Cell Identity, Virtual Cell Identifier）に関するパラメータが設定される場合、端末２は、各無線フレームの初めに第１の上りリンク参照信号の基準系列および／または第２の上りリンク参照信号の基準系列を仮想セルＩＤ（スクランブリング初期化ＩＤ，スクランブリングＩＤ、参照信号ＩＤと呼称する場合もある）に基づいて初期化してもよい。また、第１の上りリンク参照信号の設定に関する情報および／または第２の上りリンク参照信号の設定に関する情報に仮想セルＩＤに関するパラメータが設定されない場合、端末２は、各無線フレームの初めに第１の上りリンク参照信号の基準系列および／または第２の上りリンク参照信号の基準系列を物理セルＩＤ（PCI: Physical layer Cell Identity, Physical Cell Identifier）に基づいて初期化してもよい。
【００９１】
端末２は、上りリンク復調参照信号、第１の上りリンク参照信号、第２の上りリンク参照信号に対してそれぞれ独立に仮想セルＩＤが設定される場合、それらの信号の基準系列を各々の仮想セルＩＤに基づいて初期化してもよい。つまり、端末２は、第１のパラメータで第１の上りリンク参照信号の基準系列を初期化し、第２のパラメータで第２の上りリンク参照信号の基準系列を初期化し、第３のパラメータに基づいて上りリンク復調参照信号の基準系列を初期化してもよい。
【００９２】
なお、端末２に対して第１の設定がセットされない場合、端末２は、第１の上りリンク参照信号の基準系列および第２の上りリンク参照信号の基準系列を第１の方式に基づいて生成してもよい。つまり、上位層によって第１の設定がセットされていない場合、端末２は、同じ方式で第１の上りリンク参照信号の基準系列および第２の上りリンク参照信号の基準系列を生成してもよい。また、端末２に対して上位層によって第１の設定がセットされない場合、端末２は、各無線フレームの初めに第１の上りリンク参照信号の基準系列および第２の上りリンク参照信号の基準系列を物理セルＩＤに基づいて初期化してもよい。つまり、上位層によって第１の設定がセットされない場合、端末２は、同じパラメータで第１の上りリンク参照信号の基準系列および第２の上りリンク参照信号の基準系列を初期化してもよい。
【００９３】
なお、第１の設定に関する情報は、ダイナミックＴＤＤの設定に関する情報であってもよい。また、第１の設定に関する情報は、スモールセル（またはファントムセル）の設定に関する情報であってもよい。また、第１の設定に関する情報は、キャリアタイプに関する情報であってもよい。また、第１の設定に関する情報は、ＴＤＤ  ＵＬ／ＤＬ設定に関する情報であってもよい。また、第１の設定に関する情報は、測定設定に関する情報や測定対象設定に関する情報と関連付けられてもよい。また、第１の設定に関する情報は、ＴＤＤ設定に関する情報に含まれてもよい。また、第１の設定に関する情報は、無線リソース設定に関する情報に含まれてもよい。また、第１の設定に関する情報は、フレキシブルサブフレームの設定に関する情報であってもよい。また、第１の設定に関する情報は、サービングセルに関する情報に含まれてもよい。また、第１の設定に関する情報は、上りリンクキャリアアグリゲーションの時間スイッチングに関する情報であってもよい。また、第１の設定に関する情報は、ＵＬ  ＲＦ（Uplink Radio Frequency）のダイナミックスイッチングに関する情報であってもよい。例えば、ＵＬ  ＲＦ（Uplink Radio Frequency）のダイナミックスイッチングに関する情報とは、上りリンクのキャリア周波数（または送信周波数）の切り替えに関する情報のことである。また、第１の設定に関する情報は、上りリンクの送信方式に関する情報であってもよい。例えば、上りリンクの送信方式に関する情報とは、ＳＣ−ＦＤＭＡかＵＬ  ＯＦＤＭの選択を指示する情報のことである。また、第１の設定に関する情報は、リリース１２に関する情報であってもよい。また、第１の設定に関する情報は、第２のセル（セカンダリーセル）で物理上りリンク制御チャネルの送信可否に関する情報であってもよい。なお、第１の設定に関する情報は、システムで一意に決定されてもよい。また、第１の設定に関する情報は、共有情報またはシステム情報として報知されてもよい。また、第１の設定に関する情報は、端末固有の情報として端末２毎に個別に通知されてもよい。また、端末２は、第１の設定をセットする機能をサポートしているか否かを示す情報をＵＥ  Ｃａｐａｂｉｌｉｔｙを用いて基地局１へ通知してもよい。なお、サポートしている場合には、第１の設定をセットする機能をサポートしているか否かを示す情報にサポート可能を示す値（パラメータ、情報）が設定されてもよい。また、サポートしていない場合には、ＵＥ  Ｃａｐａｂｉｌｉｔｙに第１の設定をセットする機能をサポートしているか否かを示す情報が含まれなくてもよい。
【００９４】
なお、端末２に第１の設定がセットされていない場合を条件Ａ、端末２に第１の設定がセットされる場合を条件Ｂとすると、条件Ａの第２の上りリンク参照信号に設定される種々のパラメータと条件Ｂの第２の上りリンク参照信号に設定される種々のパラメータとは独立に設定されてもよい。なお、第１の上りリンク参照信号に設定される種々のパラメータは、条件Ａと条件Ｂで同じであってもよい。また、条件Ａの第２の上りリンク参照信号と条件Ｂの第２の上りリンク参照信号に適用される基準系列生成方式が独立に設定されてもよい。また、条件Ａの第２の上りリンク参照信号と条件Ｂの第２の上りリンク参照信号に適用される基準系列の初期化方式（初期化するために用いられる式）が独立に設定されてもよい。また、条件Ａの第２の上りリンク参照信号は、１サブフレーム（例えば、１４シンボル）で１シンボル分マッピングされるのに対して、条件Ｂの第２の上りリンク参照信号は、１サブフレームで２シンボル（または複数シンボル）分マッピングされてもよい。条件Ａの第２の上りリンク参照信号と条件Ｂの第２の上りリンク参照信号は、異なるシンボルで送信されてもよい。例えば、１サブフレームが１４シンボルで構成される場合において、条件Ａの第２の上りリンク参照信号は、１４番目のシンボルにマッピングされ、条件Ｂの第２の上りリンク参照信号は、４番目のシンボルおよび／または１１番目のシンボルにマッピングされてもよい。つまり、条件Ｂの第２の上りリンク参照信号は、上りリンク復調参照信号と同じシンボルで送信されてもよい。ここで、シンボルは、時間領域のリソースであり、ＳＣ−ＦＤＭＡシンボルまたはＯＦＤＭシンボルと呼称される場合もある。なお、条件Ｂの第２の上りリンク参照信号は、第２の上りリンク復調参照信号（2nd DMRS: Second Demodulation Reference Signal）、非プリコーデッドＤＭＲＳ（Non-precoded DMRS）、非プリコーデッドＳＲＳ（Non-precoded SRS）、不使用ＤＭＲＳ（Un-used DMRS）、不使用ＳＲＳ（Un-used SRS）、サウンディング用ＤＭＲＳ（DMRS for Sounding）、ＤＭＲＳに基づくサウンディング（DMRS based Sounding）、トリガータイプＸＳＲＳ（Ｘ＝０，１，２，…）、エンハンスト参照信号（ERS: Enhanced Reference Signal）と呼称される場合もある。なお、ＤＭＲＳに基づくサウンディングとは、ＤＭＲＳのリソースを用いてサウンディング（チャネル状態測定）を行なうことである。
【００９５】
図４は、条件Ａにおける第２の上りリンク参照信号の送信の一例である。端末２は、受信した下りリンク制御情報フォーマット（DCI format: Downlink Control Information Format）から第２の上りリンク参照信号（Ａ−ＳＲＳ）の送信要求に関する情報（Positive SRS request）を検出する場合、第２の上りリンク参照信号の送信要求に関する情報を検出したサブフレームから所定のサブフレーム（例えば、４サブフレーム）以降の最初のＳＲＳサブフレームで第２の上りリンク参照信号を送信する。このＳＲＳサブフレーム（第２の上りリンク参照信号が送信可能なサブフレーム）は、第２の上りリンク参照信号の設定に基づいて決定される。
【００９６】
図５は、条件Ｂにおける第２の上りリンク参照信号の送信の一例である。端末２は、受信した上りリンクグラント（UL grant, PUSCH grant, UL DCI format）から第２の上りリンク参照信号（Ａ−ＳＲＳ）の送信要求に関する情報（Positive SRS request）を検出する場合、第２の上りリンク参照信号の送信要求に関する情報を検出したサブフレームから所定のサブフレーム（例えば、４サブフレーム）以降の最初の上りリンクサブフレームで第２の上りリンク参照信号を送信する。その際、第２の上りリンク参照信号は、サブフレーム内の最後のシンボルに配置されて送信される。つまり、１サブフレームが１４シンボルで構成される場合、第２の上りリンク参照信号は、１４番目のシンボルに配置される。また、第２の上りリンク参照信号の基準系列と第１の上りリンク参照信号の基準系列は同じ系列で生成されなくてもよい。ここで、上りリンクサブフレームは、フレキシブルサブフレームであってもよい。
【００９７】
図６は、条件Ｂにおける第２の上りリンク参照信号の送信の別の一例である。端末２は、受信した上りリンクグラント（UL grant, PUSCH grant, UL DCI format）から第２の上りリンク参照信号（Ａ−ＳＲＳ）の送信要求に関する情報（Positive SRS request）を検出する場合、第２の上りリンク参照信号の送信要求に関する情報を検出したサブフレームから所定のサブフレーム（例えば、４サブフレーム）以降の最初の上りリンクサブフレームで第２の上りリンク参照信号を送信する。その際、第２の上りリンク参照信号は、上りリンク復調参照信号と同じシンボルに配置されて送信される。つまり、１サブフレームが１４シンボルで構成される場合、第２の上りリンク参照信号は、４番目と１１番目のシンボルに配置される。なお、上りリンクサブフレームは、フレキシブルサブフレームであってもよい。なお、上りリンクグラントには、上りリンク信号のスケジューリングに用いられる情報が含まれる。
【００９８】
なお、条件Ｂの第２の上りリンク参照信号は、下りリンク制御情報フォーマットが上りリンクグラント（例えば、ＤＣＩフォーマット０／４）であった場合にのみ送信可能であってもよい。また、条件Ｂの第２の上りリンク参照信号は、下りリンク制御情報フォーマットが下りリンクグラント（例えば、ＤＣＩフォーマット１Ａ／２Ｂ／２Ｃ）であった場合にも送信可能であってもよい。また、条件Ｂの第２の上りリンク参照信号は、下りリンク制御情報フォーマットがグループトリガリンググラント（例えば、ＤＣＩフォーマット３／３Ａ）であった場合でも送信可能であってもよい。グループトリガリンググラントは、複数の端末それぞれに対して送信電力制御コマンドが設定されている。グループトリガリンググラントは、複数の端末それぞれに対して信号の活性化（Activation）／不活性化（Deactivation）が設定される。つまり、条件Ｂの第２の上りリンク参照信号は、第２の上りリンク参照信号の送信要求に関する情報を含む下りリンク制御情報フォーマットの種類に応じて、送信方法が切り替わってもよい。つまり、端末２は、条件Ｂの下、第２の上りリンク参照信号の送信指示に関する情報を含む下りリンク制御情報フォーマットが上りリンクグラントまたはグループトリガリンググラントまたは送信電力制御コマンド用のグラントの場合、下りリンク制御情報フォーマットを検出したサブフレームから所定のサブフレーム（例えば、４サブフレーム）以降の最初の上りリンクサブフレームで上りリンク復調参照信号と同じタイミングで第２の上りリンク参照信号を送信してもよい。つまり、条件に応じて、第２の上りリンク参照信号を送信するタイミングが変わってもよい。また、端末２は、条件Ｂの下、第２の上りリンク参照信号の送信要求に関する情報を含む下りリンク制御情報フォーマットが下りリンクグラントの場合、第２の上りリンク参照信号の設定に含まれる送信サブフレームに関するパラメータに従い、下りリンク制御情報フォーマットを検出したサブフレームから所定のサブフレーム（例えば、４サブフレーム）以降の最初の第２の上りリンク参照信号固有に設定される送信サブフレームで第２の上りリンク参照信号を送信してもよい。ここで、上りリンク参照信号の送信要求に関する情報は、上りリンク参照信号の送信を行なうか否かを指示する情報を含む。
【００９９】
なお、第１の設定に関する情報が設定されるか否かによって、第２の上りリンク参照信号の基準系列は異なる方式で生成されてもよい。つまり、端末２は、条件Ａの第２の上りリンク参照信号の基準系列を第１の方式に基づいて生成し、条件Ｂの第２の上りリンク参照信号の基準系列を第２の方式に基づいて生成してもよい。この時、第１の上りリンク参照信号の基準系列は、条件Ａ、条件Ｂのどちらの場合でも第１の方式に基づいて生成されてもよい。ここで、第１の方式は、擬似ランダム系列（Pseudo-random sequence）であってもよい。第２の方式は、擬似ランダム系列とは異なる系列であってもよい。また、第２の方式は、擬似ランダム系列の派生や改良であってもよい。第１の方式はゴールド系列であってもよい。第２の系列はゴールド系列とは異なる系列であってもよい。なお、上りリンク復調参照信号の基準系列と条件Ａの第２の上りリンク参照信号の基準系列は同じ方式で生成されてもよい。また、第１の方式は、Ｚａｄｏｆｆ−Ｃｈｕ系列であり、第２の方式は、Ｚａｄｏｆｆ−Ｃｈｕ系列とは異なる系列であってもよい。なお、種々の参照信号の信号系列は、基準系列に基づいて生成されてもよい。
【０１００】
また、条件Ｂの第２の上りリンク参照信号の基準系列と上りリンク復調参照信号の基準系列は異なる方式で生成されてもよい。そうすることによって、同じ時間周波数リソースに割り当てることになってもお互いに干渉することなく割り当てることが可能となる。つまり、条件Ｂの第２の上りリンク参照信号と上りリンク復調参照信号はお互いに干渉しないような系列が生成される。
【０１０１】
なお、第２の上りリンク参照信号の基準系列は、上位層によって第１の設定がセットされるか否かに因らず、同じセルＩＤで初期化されてもよい。このセルＩＤは、第２の上りリンク参照信号の設定に仮想セルＩＤに関するパラメータが設定されている場合には、仮想セルＩＤであり、第２の上りリンク参照信号の設定に仮想セルＩＤに関するパラメータが設定されていない場合には、物理セルＩＤであってもよい。
【０１０２】
なお、第２の上りリンク参照信号のリソース割り当て（送信帯域幅、周波数領域ポジション、サイクリックシフト、送信コーム、送信シンボル、アンテナポート数、ホッピング帯域幅など）は、上位層によって第１の設定がセットされるか否かによって独立なパラメータで行なわれてもよい。つまり、端末２は、第２の上りリンク参照信号に対して複数のリソース割り当てに関するパラメータが設定されてもよい。
【０１０３】
なお、上りリンク復調参照信号と条件Ｂの第２の上りリンク参照信号のリソース割り当ては独立に行なわれてもよい。
【０１０４】
なお、第２の上りリンク参照信号の送信電力制御は、上位層によって第１の設定がセットされるか否かによって独立なパラメータで制御されてもよい。
【０１０５】
なお、条件Ａの第２の上りリンク参照信号の送信電力は、第１のＴＰＣコマンドに基づいて制御され、条件Ｂの第２の上りリンク参照信号の送信電力は、少なくとも第２のＴＰＣコマンドに基づいて制御されてもよい。また、条件Ｂの第２の上りリンク参照信号の送信電力は、第１のＴＰＣコマンドで行なわれてもよい。基地局１は、第１のＴＰＣコマンドによって通知される補正値に基づいて電力制御調整値（ｆ（ｉ）および／またはｇ（ｉ））を設定し、第２のＴＰＣコマンドによって通知される絶対値に基づいて電力制御調整値（ｆ（ｉ）および／またはｇ（ｉ））を設定してもよい。
【０１０６】
条件Ｂの場合、下りリンク制御情報フォーマットの種類が増えてもよい。例えば、物理上りリンク共用チャネルや物理上りリンク制御チャネルの送信電力制御コマンドを設定するための下りリンク制御情報フォーマット（例えば、ＤＣＩフォーマット３／３Ａ）にコンポーネントキャリアを指示する情報が含まれてもよい。また、絶対値を通知するための送信電力制御コマンドを設定するための下りリンク制御情報フォーマットが追加されてもよい。
【０１０７】
なお、第２の上りリンク参照信号の送信電力制御に適用される下りリンクパスロスは、上位層によって第１の設定がセットされるか否かによって異なる下りリンク参照信号に基づいて計算されてもよい。つまり、端末２は、条件Ａにおいては、第１の下りリンク参照信号に基づいて受信電力測定を行ない、その測定結果から下りリンクパスロスを計算し、条件Ｂにおいては、第２の下りリンク参照信号に基づいて受信電力測定を行ない、その測定結果から下りリンクパスロスを計算してもよい。それらの下りリンクパスロスを第２の上りリンク参照信号の送信電力制御に用いられてもよい。例えば、第１の下りリンク参照信号はセル固有参照信号であり、第２の下りリンク参照信号はチャネル状態情報参照信号であってもよい。また、第１の下りリンク参照信号は第１のチャネル状態情報参照信号であり、第２の下りリンク参照信号は第２のチャネル状態情報参照信号であってもよい。第１の下りリンク参照信号は第１のセル固有参照信号であり、第２の下りリンク参照信号は第２のセル固有参照信号であってもよい。同じ種類の下りリンク参照信号を切り替える場合、それらの下りリンク参照信号に設定される種々のパラメータ（例えば、リソース設定やサブフレーム設定、セルＩＤ、アンテナポート数など）のうち、少なくとも１つのパラメータが独立に設定されうる。その一方で、それらの下りリンク参照信号間で共有されるパラメータがあってもよい。
【０１０８】
なお、第２の上りリンク参照信号は、上位層によって第１の設定がセットされるか否かによって異なるアンテナポート番号で送信されてもよい。つまり、端末２は、条件Ａの第２の上りリンク参照信号を第１のアンテナポート番号群で送信し、条件Ｂの第２の上りリンク参照信号を第２のアンテナポート番号群で送信してもよい。例えば、第２の上りリンク参照信号に対して４アンテナポート送信が設定される場合、端末２は、条件Ａの第２の上りリンク参照信号をアンテナポート番号４０、４１、４２、４３で送信し、条件Ｂの第２の上りリンク参照信号をアンテナポート番号４００、４０１、４０２、４０３で送信してもよい。つまり、端末２は、同じインデックスであっても、条件に応じて、使用するアンテナポート番号が異なる場合があってもよい。つまり、条件Ｂの場合、第１の上りリンク参照信号と第２の上りリンク参照信号のアンテナポートは異なってもよい。
【０１０９】
また、第２の上りリンク参照信号の周波数ホッピングが可能な場合、条件Ａの第２の上りリンク参照信号は、送信サブフレーム間で周波数ホッピングが適用されるのに対して、条件Ｂの第２の上りリンク参照信号は、スロット間で周波数ホッピングが適用されてもよい。
【０１１０】
なお、第２の上りリンク参照信号に設定される種々のパラメータの値の範囲は、条件Ａと条件Ｂで異なってもよい。例えば、サイクリックシフトは、条件Ａの第２の上りリンク参照信号においては０〜７まで設定できるが、条件Ｂの第２の上りリンク参照信号においては０〜１１まで設定できるようにしてもよい。つまり、より狭いサイクリックシフト量で系列生成を行なってもよい。また、送信コームは、条件Ａの第２の上りリンク参照信号においては０，１と設定できるが、条件Ｂの第２の上りリンク参照信号においては０〜３まで設定できるようにしてもよい。つまり、より広いサブキャリア間隔でマッピングできるようにしてもよい。また、その逆に、より狭いサブキャリア間隔でマッピングできるようにしてもよい。つまり、基地局１は、より多くの端末２が第２の上りリンク参照信号を送信できるようにパラメータ制御を行なってもよい。また、送信帯域幅は、テーブル管理されているが、条件Ａの第２の上りリンク参照信号と条件Ｂの第２の上りリンク参照信号とで異なる値が設定されたテーブルに基づいて行なわれてもよい。つまり、同じシステム帯域幅で同じインデックスを選択しても条件Ａの第２の上りリンク参照信号と条件Ｂの第２の上りリンク参照信号とで異なる値が設定されてもよい。また、送信電力オフセットは、条件Ａの第２の上りリンク参照信号において４ビット（１６段階）で設定できるのに対し、条件Ｂの第２の上りリンク参照信号において５ビット（３２段階）で設定できるようにしてもよい。つまり、第１の設定がセットされることによって、種々のパラメータの値の範囲が拡張されてもよい。
【０１１１】
なお、上位層によって第１の設定がセットされる場合、端末２は、同一サブフレームで異なる下りリンク制御情報フォーマットからそれぞれ第２の参照信号の送信要求に関する情報を検出すると、所定のサブフレーム後の最初の上りリンクサブフレームにおいて、それぞれの下りリンク制御情報フォーマットと関連付けられた第２の上りリンク参照信号を送信してもよい。
【０１１２】
条件Ｂの第２の上りリンク参照信号の送信において、物理上りリンク制御チャネルの送信が生じる場合、物理上りリンク制御チャネルの送信電力と条件Ｂの第２の上りリンク参照信号の送信電力の合計が端末２に設定される最大送信電力を超えるとすれば、条件Ｂの第２の上りリンク参照信号を送信しないように制御してもよい。つまり、端末２は、物理上りリンク制御チャネルの送信を優先するように送信制御を行なってもよい。
【０１１３】
第２の上りリンク参照信号は、条件Ａの場合、第１の方法で送信され、条件Ｂの場合、第２の方法で送信される。
【０１１４】
端末２は、あるサービングセルのあるサブフレームに対して、第２の上りリンク参照信号の送信要求に関する情報を含む複数の下りリンク制御情報フォーマットを検出することを期待しなくてもよい。しかし、上位層によって第１の設定がセットされる場合、端末２は、異なる下りリンク制御情報フォーマットに第２の上りリンク参照信号の送信要求に関する情報が含まれていれば、この２つの第２の上りリンク参照信号を同じサブフレームで送信してもよい。この２つの第２の上りリンク参照信号を送信することで、そのサービングセルのそのサブフレームに対する送信電力が端末２に設定される最大送信電力を超える場合、その２つの第２の上りリンク参照信号を送信しなくてもよい。
【０１１５】
端末２は、条件Ｂを満たすと、常に第２の上りリンク参照信号の送信要求に関する情報を含む下りリンク制御情報フォーマットを受信したサブフレームから所定のサブフレーム（例えば、４サブフレーム）以降の最初の上りリンクサブフレームで第２の上りリンク参照信号を送信することができる。また、条件Ａの場合、端末２は、常に第２の上りリンク参照信号の送信要求に関する情報を含む下りリンク制御情報フォーマットを受信したサブフレームから所定のサブフレーム（例えば、４サブフレーム）以降の最初の第２の上りリンク参照信号固有に設定されるサブフレームで第２の上りリンク参照信号を送信する。つまり、条件Ｂの場合、端末２は、第２の上りリンク参照信号を物理上りリンク共用チャネルおよび上りリンク復調参照信号と同じサブフレームで送信する。
【０１１６】
端末２は、送信タイミング調整情報（TA: Timing Advance）が設定される数に応じて、第２の上りリンク参照信号の送信方法を切り替えてもよい。例えば、送信タイミング調整情報が端末２に対して１つだけ設定される場合、条件Ａの第２の上りリンク参照信号を送信し、送信タイミング調整情報が端末２に対して複数通知される（端末２に対して複数の送信タイミング調整情報が通知される）場合、条件Ａの第２の上りリンク参照信号を送信する。つまり、第１の設定に関する情報は、送信タイミング調整に関する情報であってもよい。
【０１１７】
第１の設定がセットされる場合、端末２は、上りリンク復調参照信号と第２の上りリンク参照信号のリソースを重複して送信してもよい。第１の設定がセットされる場合、端末２は、上りリンク復調参照信号と第２の上りリンク参照信号のリソースを異なる時間リソースに配置して送信してもよい。端末２は、第１の設定がセットされる場合、第２の上りリンク参照信号と上りリンク復調参照信号を同じサブフレームで送信してもよい。また、端末２は、第１の設定がセットされない場合、第２の上りリンク参照信号を第２の上りリンク参照信号の設定に基づいてセットされる送信サブフレームに基づいて送信するため、第２の上りリンク参照信号と上りリンク復調参照信号（または物理上りリンク共用チャネル）は必ずしも同じサブフレームで送信されなくてもよい。
【０１１８】
端末２は、第１の設定がセットされると、同じコンポーネントキャリアで条件Ｂの第２の上りリンク参照信号と他の物理チャネルのリソースが重複してもそれらの物理チャネルを送信することができる。例えば、第１の設定がセットされ、物理上りリンク共用チャネルと物理上りリンク制御チャネルの同時送信が有効である場合、あるサブフレームにおいて、物理上りリンク共用チャネルと物理上りリンク制御チャネルと第２の上りリンク参照信号の送信電力の合計が端末２に設定される最大送信電力を超えていなければ、物理上りリンク共用チャネルと物理上りリンク制御チャネルと第２の上りリンク参照信号を同じサブフレームで送信してもよい。また物理上りリンク共用チャネルと物理上りリンク制御チャネルと第２の上りリンク参照信号の送信電力の合計が端末２に設定される最大送信電力を超えていれば、第２の上りリンク参照信号の送信を行なわない。
【０１１９】
また、種々の上りリンク信号のリソース割り当てが同じ場合、基地局１は、各上りリンク信号の信号系列の違いによって、種々の上りリンク信号を検出することができる。つまり、基地局１は、受信した上りリンク信号の信号系列の違いによって、各上りリンク信号を識別することができる。また、基地局１は、受信した上りリンク信号の信号系列に違いによって、自装置宛ての送信か否かを判定することができる。
【０１２０】
さらに、端末２は、基地局１から第２の下りリンク参照信号による受信電力測定が指示された場合、その測定結果に基づいて下りリンクパスロスを算出し、上りリンク送信電力制御に用いてもよい。
【０１２１】
ここで、受信電力測定は、参照信号受信電力（RSRP: Reference Signal Received Power）測定や受信信号電力測定と呼称されるも場合もある。また、受信品質測定は、参照信号受信品質（RSRQ: Reference Signal Received Quality）測定や受信信号品質測定と呼称される場合もある。
【０１２２】
また、第２の下りリンク参照信号のリソース割り当て（Resource allocation, mapping to resource elements, mapping to physical resources）は、周波数シフトされてもよい。第２の下りリンク参照信号の周波数シフトは、物理セルＩＤに基づいて決定されてもよい。また、第２の下りリンク参照信号の周波数シフトは、仮想セルＩＤに基づいて決定されてもよい。
【０１２３】
一例として、基地局１から端末２に対して、第２の下りリンク参照信号の受信電力測定を行なうか否かを指示する情報が通知される。端末２は、その指示情報が第２の下りリンク参照信号の受信電力測定を行なうことができると指示している場合、第２の下りリンク参照信号の受信電力測定を行なう。この時、端末２は、パラレルに第１の下りリンク参照信号の受信電力測定を行なってもよい。端末２は、その指示情報が第２の下りリンク参照信号の受信電力測定を行なうことができないと指示している場合、端末２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０１２４】
また、別の例として、基地局１から端末２に対して、第１の下りリンク参照信号の受信電力測定を行なうか第２の下りリンク参照信号の受信電力測定を行なうかを指示する情報が通知される。端末２は、その指示情報が第１の下りリンク参照信号の受信電力測定を行うことを指示している場合、第１の下りリンク参照信号の受信電力測定を行なう。端末２は、その指示情報が第２の下りリンク参照信号の受信電力測定を行なうことを指示している場合、第２の下りリンク参照信号の受信電力測定を行なう。つまり、この指示情報は、受信電力測定の切り替えを指示する情報である。また、この指示情報には、受信品質測定を行うか否かを指示する情報が含まれてもよい。また、第３の下りリンク参照信号は、この指示情報によらず、受信電力測定を行なってもよい。また、第２の下りリンク参照信号の送信電力および／または第３の下りリンク参照信号の送信電力は、第１の下りリンク参照信号の送信電力に基づいてセットされてもよい。例えば、第１の下りリンク参照信号と第２の下りリンク参照信号（または第３の下りリンク参照信号）間の電力の比（電力オフセット）が設定されてもよい。
【０１２５】
図３に示すように、端末２は、条件を識別し、条件に基づいて、受信電力測定を行なう。端末２は、条件を識別する（ステップＳ３０１）。端末２は、条件Ａの場合（Ｓ３０１：条件Ａ）には、第１の方法に基づいて送信する（ステップＳ３０２）。また、端末２は、条件Ｂの場合（Ｓ３０１：条件Ｂ）には、第２の方法に基づいて送信する（ステップＳ３０３）。
【０１２６】
ここで、図３を用いて説明すると、第１の実施形態においては、条件Ａには、第２の方法に基づく送信を行なうことが指示されないことが含まれる。また、条件Ｂには、第２の方法に基づく送信を行なうことが指示されることが含まれる。なお、第１の方法および第２の方法には、系列生成処理を含む。また、第１の方法および第２の方法には、符号化処理を含む。また、第１の方法および第２の方法には、リソース割り当て処理を含む。
【０１２７】
端末２は、第１の設定がセットされるか否かによって、第２の上りリンク参照信号の送信リソースを切り替えることができる。また、端末２は、第１の設定がセットされるか否かによって、第２の上りリンク参照信号の送信タイミングを切り替えることができる。また、端末２は、第１の設定がセットされるか否かによって、第２の上りリンク参照信号の信号系列を切り替えることができる。言い換えると、端末２は、第１の設定に関する情報が通知されるか否かによって、第２の上りリンク参照信号の送信リソースを切り替えることができる。また、端末２は、第１の設定に関する情報が通知されるか否かによって、第２の上りリンク参照信号の送信タイミングを切り替えることができる。また、端末２は、第１の設定に関する情報が通知されるか否かによって、第２の上りリンク参照信号の信号系列を切り替えることができる。
【０１２８】
条件に応じて、送信サブフレームの設定に因らず、上りリンク参照信号の送信方法を切り替えることによって、適切な送信制御を行なうことができる。特に、ＴＤＤの場合、上りリンク信号が送信可能なサブフレームは制限されるため、より効率的な送信制御を実現することができる。
【０１２９】
（第２の実施形態）
次に、第２の実施形態について説明する。第２の実施形態では、基地局１は、第１の設定に関する情報を端末２へ通知する。また、基地局１は、第１の上りリンク参照信号の設定に関する情報および第２の上りリンク参照信号の設定に関する情報を端末２へ通知する。また、１つまたは複数の基地局１は、端末２に、同じサブフレームで第２の上りリンク参照信号の送信要求に関する情報を含む複数の下りリンク制御情報フォーマットを物理下りリンク制御チャネルで送信する。端末２は、第１の上りリンク参照信号の設定および第２の上りリンク参照信号の設定をセットする。また、端末２は、第１の設定がセットされる場合、あるサブフレームにおいて、複数の下りリンク制御情報フォーマットから第２の上りリンク参照信号の送信要求に関する情報を検出すると、あるサブフレームから所定のサブフレーム（例えば、４サブフレーム）以降の最初の上りリンクサブフレームで複数の第２の上りリンク参照信号を送信する。また、端末２は、第１の設定がセットされていない場合、あるサービングセルのある上りリンクサブフレームに対して複数の第２の上りリンク参照信号の送信要求が通知されることを期待しない。例えば、あるサービングセルのある上りリンクサブフレームに対して複数の第２の上りリンク参照信号の送信要求を検出した場合、最初に検出した第２の上りリンク参照信号の送信要求を有効にし、それ以降に検出した第２の上りリンク参照信号の送信要求を無効にしてもよい。また、あるサービングセルのある上りリンクサブフレームに対して複数の第２の上りリンク参照信号の送信要求を検出した場合、最新の第２の上りリンク参照信号の送信要求を有効にしてもよい。また、あるサービングセルのある上りリンクサブフレームに対して複数の第２の上りリンク参照信号の送信要求を検出した場合、複数の第２の上りリンク参照信号の送信要求がそれぞれ同じ種類の下りリンク制御情報フォーマットから同じ値で検出されれば、複数の第２の上りリンク参照信号の送信要求を有効にしてもよい。ただし、端末２は、同じ種類の下りリンク制御情報フォーマットを受信している途中で、第２の上りリンク参照信号の設定に含まれる種々のパラメータに設定されている値が変更される場合を想定しないため、第２の上りリンク参照信号を送信しなくともよいし、最新の第２の上りリンク参照信号の送信要求によって生成される第２の上りリンク参照信号を送信してもよいし、最初の第２の上りリンク参照信号の送信要求によって生成される第２の上りリンク参照信号を送信してもよいし、パラメータが変更される直前または直後の第２の上りリンク参照信号の送信要求によって生成される第２の上りリンク参照信号を送信してもよい。つまり、条件Ｂの場合には、端末２は、あるセルのある上りリンクサブフレームに対して複数の第２の上りリンク参照信号の送信要求に関する情報を検出することができる。
【０１３０】
異なる下りリンク制御情報フォーマットに含まれる第２の上りリンク参照信号の送信要求に関する情報と関連付けられた第２の上りリンク参照信号のパラメータは独立に設定される。例えば、下りリンク制御情報フォーマットＡで送信要求があった場合、パラメータセットＡで生成した第２の上りリンク参照信号を送信し、下りリンク制御情報フォーマットＢで送信要求があった場合、パラメータセットＢで生成した第２の上りリンク参照信号を送信する。各パラメータセットには、送信帯域幅や送信サブフレーム、サイクリックシフト、送信コーム、周波数ポジション、アンテナポート数、ホッピング帯域幅、仮想セルＩＤ、送信回数など種々のパラメータがセットされている。例えば、上りリンクグラントである下りリンク制御情報フォーマット０と下りリンクグラントである下りリンク制御情報フォーマット２Ｃを同じサブフレームで受信する場合、ともに第２の上りリンク参照信号の送信要求に関する情報が含まれていれば、端末２は、同じ上りリンクサブフレームで下りリンク制御情報フォーマット０と下りリンク制御情報フォーマット２Ｃと関連付けられた第２の上りリンク参照信号を送信する。
【０１３１】
ある上りリンクサブフレームにおいて、他の上りリンク物理チャネルと第２の上りリンク参照信号Ａと第２の上りリンク参照信号Ｂの送信電力の合計が端末２に設定される送信電力を超える場合、第２の上りリンク参照信号Ａと第２の上りリンク参照信号Ｂを送信しないで、他の上りリンク物理チャネルの送信を優先する。
【０１３２】
さらに、端末２は、送信電力に余裕がある場合（端末２の最大送信電力を超えない場合）には、異なる下りリンク制御情報フォーマットから検出した第２の上りリンク参照信号の送信要求に関する情報に従って、それぞれの第２の上りリンク参照信号を同じサブフレームで送信してもよい。また、端末２は、送信電力に余裕がない場合には、第２の上りリンク参照信号の送信を行なわなくてもよい。つまり、端末２は、送信電力値に応じて送信制御を行なってもよい。また、端末２は、物理チャネルの種類に応じて送信の優先度を設けてもよい。
【０１３３】
条件に応じて、第２の上りリンク参照信号の同時送信制御を行なうことでより効率的なチャネル推定を行なうことができる。
【０１３４】
なお、上記各実施形態において、セル毎に第２の上りリンク参照信号の送信方法を切り替えることができる。
【０１３５】
なお、上記各実施形態では、端末２は、第２の下りリンク参照信号に基づく受信電力の測定結果を基地局１へ報告してもよい。端末２は、その報告を周期的に行なってもよい。また、端末２は、その報告をある条件を満たした場合に行なってもよい。
【０１３６】
なお、上記各実施形態では、端末２は、第２の下りリンク参照信号に基づく受信電力を測定する場合、その受信電力に基づいて上りリンク信号の送信電力制御を行なってもよい。また、端末２は、下りリンクパスロスをその受信電力に基づいて決定してもよい。
【０１３７】
なお、上記各実施形態では、端末２は、第１の上りリンク参照信号および／または第２の上りリンク参照信号の送信電力を含む種々の上りリンク信号の送信電力の合計が端末２に設定される最大送信電力を超える場合、第１の上りリンク参照信号および／または第２の上りリンク参照信号を送信しなくてもよい。
【０１３８】
なお、上記各実施形態では、端末２は、第１の設定がセットされる場合、第１の設定がセットされるセル（サービングセル）に対して第１の上りリンク参照信号（例えば、Ｐ−ＳＲＳ）を送信しなくてもよい。また、上記各実施形態では、端末２は、第１の設定がセットされる場合、上位層によって固有の送信サブフレームがセットされる上りリンク参照信号を送信しなくてもよい。
【０１３９】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０１４０】
なお、上記各実施形態では、上りリンク送信電力制御とは、上りリンク物理チャネル（ＰＵＳＣＨ、ＰＵＣＣＨ、ＰＲＡＣＨ、ＳＲＳ）の送信電力制御のことであり、送信電力制御とは、種々の上りリンク物理チャネルの送信電力の設定に使用する種々のパラメータの切り替えまたは（再）設定に関する情報を含んでいる。
【０１４１】
なお、上記各実施形態では、基地局１は、１つの端末に対して複数の仮想セルＩＤを設定できるようにしてもよい。例えば、基地局および少なくとも１つの基地局を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号の設定毎に仮想セルＩＤがセットできるようにしてもよい。また、複数の物理チャネル／物理信号で仮想セルＩＤは共有されてもよい。
【０１４２】
なお、上記各実施形態の説明では、例えば、電力をセットすることは電力の値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０１４３】
なお、上記各実施形態の説明では、例えば、パスロスを計算することはパスロスの値を計算することを含む。このように、パスロスという表現には、適宜パスロスの値という意味も含まれる。
【０１４４】
なお、上記各実施形態の説明では、種々のパラメータを設定することは種々のパラメータの値を設定することを含む。このように、種々のパラメータという表現には、適宜種々のパラメータの値という意味も含まれる。
【０１４５】
本発明に関わる基地局１および端末２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１および端末２の一部、または全部を典型的には集積回路であるＬＳＩとして実現してもよい。基地局１および端末２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０１４７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０１４８】
なお、本願発明は、上述の実施形態に限定されるものではない。本願発明の端末は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【符号の説明】
【０１４９】
１  基地局
２  端末
１０１  上位層処理部
１０３  制御部
１０５  受信部
１０７  送信部
１０９  チャネル測定部
１１１  送受信アンテナ
１０１１  無線リソース制御部
１０１３  参照信号設定部
１０１５  送信電力設定部
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０１１  無線リソース制御部
２０１３  参照信号制御部
２０１５  送信電力制御部
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
2014050584.tif 000003
【図２】
2014050584.tif 000004
【図３】
2014050584.tif 000005
【図４】
2014050584.tif 000006
【図５】
2014050584.tif 000007
【図６】
2014050584.tif 000008
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
少なくとも第１の設定およびサウンディング参照信号（ＳＲＳ）の設定を受信する受信部と、
前記ＳＲＳの設定に基づくＳＲＳサブフレームにおいて、ＳＲＳを送信する送信部と、を備え、
前記送信部は、
前記第１の設定がセットされ、且つ、物理上りリンク共用チャネル（ＰＵＳＣＨ）が前記ＳＲＳサブフレームにおいて送信されるとすれば、前記ＳＲＳサブフレームにおいて、前記ＳＲＳを送信し、
前記第１の設定がセットされ、且つ、前記ＰＵＳＣＨが前記ＳＲＳサブフレームにおいて送信されなければ、前記ＳＲＳサブフレームにおいて、前記ＳＲＳを送信しない
端末装置。
【請求項２】
前記送信部は、
前記ＳＲＳサブフレームが、前記第１の設定において第１のタイプのサブフレームであるとすれば、前記ＳＲＳを送信し、
前記ＳＲＳサブフレームが、前記第１の設定において第２のタイプのサブフレームであるとすれば、前記ＳＲＳを送信しない
請求項１記載の端末装置。
【請求項３】
前記送信部は、
第２の設定がセットされるとすれば、第１の方式および第２の方式に基づいて系列を生成する
請求項２記載の端末装置。
【請求項４】
基地局装置と通信する端末装置における通信方法であって、
第１の設定をセットするステップと、
サウンディング参照信号（ＳＲＳ）の設定をセットするステップと、
前記ＳＲＳの設定に基づくＳＲＳサブフレームにおいてＳＲＳを送信するステップと、
前記第１の設定がセットされ、且つ、物理上りリンク共用チャネル（ＰＵＳＣＨ）が前記ＳＲＳサブフレームで送信されるとすれば、前記ＳＲＳサブフレームにおいて、前記ＳＲＳを送信するステップと、
前記第１の設定がセットされ、且つ、前記ＰＵＳＣＨが前記ＳＲＳサブフレームで送信されないとすれば、前記ＳＲＳサブフレームにおいて、前記ＳＲＳを送信しないステップと、を有する
通信方法。
【請求項５】
前記ＳＲＳサブフレームが、前記第１の設定における第１のタイプのサブフレームであるとすれば、前記ＳＲＳを送信するステップと、
前記ＳＲＳサブフレームが、前記第１の設定における第２のタイプのサブフレームであるとすれば、前記ＳＲＳを送信しないステップと、を有する
請求項４記載の通信方法。
【請求項６】
第２の設定がセットされるとすれば、第１の方式および第２の方式に基づいて系列を生成するステップを有する
請求項５記載の通信方法。
【請求項７】
端末装置に搭載される集積回路であって、
第１の設定をセットする機能と、
サウンディング参照信号（ＳＲＳ）の設定をセットする機能と、
前記ＳＲＳの設定に基づくＳＲＳサブフレームにおいてＳＲＳを送信する機能と、
前記第１の設定がセットされ、且つ、物理上りリンク共用チャネル（ＰＵＳＣＨ）が前記ＳＲＳサブフレームで送信されるとすれば、前記ＳＲＳサブフレームにおいて、前記ＳＲＳを送信する機能と、
前記第１の設定がセットされ、且つ、前記ＰＵＳＣＨが前記ＳＲＳサブフレームで送信されないとすれば、前記ＳＲＳサブフレームにおいて、前記ＳＲＳを送信しない機能と、を前記端末装置に発揮させる
集積回路。
【請求項８】
前記ＳＲＳサブフレームが、前記第１の設定における第１のタイプのサブフレームであるとすれば、前記ＳＲＳを送信する機能と、
前記ＳＲＳサブフレームが、前記第１の設定における第２のタイプのサブフレームであるとすれば、前記ＳＲＳを送信しない機能と、を前記端末装置に発揮させる
請求項７記載の集積回路。
【請求項９】
第２の設定がセットされるとすれば、第１の方式および第２の方式に基づいて系列を生成する機能を前記端末装置に発揮させる
請求項８記載の集積回路。
【手続補正３】
【補正対象書類名】明細書
【補正対象項目名】０００１
【補正方法】変更
【補正の内容】
【０００１】
本発明は、端末装置、通信方法および集積回路に関する。
【手続補正４】
【補正対象書類名】明細書
【補正対象項目名】００１２
【補正方法】変更
【補正の内容】
【００１２】
本発明は、上記問題を鑑みてなされたものであり、適切な送信制御が可能な端末装置、通信方法および集積回路を提供することを目的とする。
【国際調査報告】
2014050584.tif 000009
2014050584.tif 000010